(57)【要約】【課題】部品点数が少なく、基板の所定の箇所に磁気ヘッド組立体を回転させるだけで取り付けることが可能な磁気ヘッド組立体の取付構造を提供する。【解決手段】ガイド孔２１ｂ及び受孔２１ｃを有する底板２１と壁板とが備えられ、壁板の一部が折曲されて係合部２２ａが形成され、磁気ヘッド組立体５１には本体部と脚部５１ｂと本体部の一側面側のアーム部５１ｄと本体部の別の側面側の被係合部５１ｆとが備えられるとともにアーム部５１ｄに突起５１ｇが形成され、ガイド孔２１ｂに脚部５１ｂを挿入させ、受孔２１ｃに突起を５１ｇ嵌め合わせ、被係合部５１ｆを係合部２２ａに係合させることを特徴とする磁気ヘッド組立体５１の取付構造を採用する。【選択図】        図７
2004253091.tif 000002
【特許請求の範囲】
【請求項１】
シャーシ基板に磁気ヘッド組立体を取り付ける取付構造であり、
前記シャーシ基板は、一辺寄りにガイド孔及び受孔が設けられた底板と該底板の一辺から立設された壁板とから構成されるとともに前記壁板の一部が前記底板とほぼ平行に折曲されて係合部が形成されてなり、
前記磁気ヘッド組立体には、媒体摺動面を有する略柱状の本体部と該本体部の一端側に取り付けられた脚部と前記本体部の一側面から突出するアーム部と前記本体部の別の側面から突出する被係合部とが備えられるとともに前記アーム部に突起が形成されてなり、
前記ガイド孔に前記脚部が挿入されるとともに前記受孔に前記突起が嵌め合わされ、更に前記被係合部が前記係合部に係合されていることを特徴とする磁気ヘッド組立体の取付構造。
【請求項２】
前記被係合部を前記底板と前記係合部との間に嵌め込ませることを特徴とする請求項１に記載の磁気ヘッド組立体の取付構造。
【請求項３】
前記ガイド孔の内面と前記脚部との間に充填材が充填されていることを特徴とする請求項１に記載の磁気ヘッド組立体の取付構造。
【請求項４】
シャーシ基板に磁気ヘッド組立体を取り付ける方法であり、
前記シャーシ基板は、一辺寄りにガイド孔及び受孔が設けられた底板と該底板の一辺から立設された壁板とから構成されるとともに前記壁板の一部が前記底板とほぼ平行に折曲されて係合部が形成されてなり、
前記磁気ヘッド組立体には、媒体摺動面を有する略柱状の本体部と該本体部の一端側に取り付けられた脚部と前記本体部の一側面から突出するアーム部と前記本体部の別の側面から突出する被係合部とが備えられるとともに前記アーム部に突起が形成されてなり、
前記脚部を前記ガイド孔内において移動自在な状態で挿入させるとともに前記受孔に前記突起を嵌め合わせた状態で、前記突起を軸にして前記磁気ヘッド組立体を前記壁面側に向けて回転させて、前記被係合部と前記係合部とを係合することを特徴とする磁気ヘッド組立体の取付方法。
【発明の詳細な説明】
【０００１】
【発明の属する技術分野】
本発明は、シャーシ基板に磁気ヘッド組立体を取り付ける取付構造に関するものであり、特に、ビデオテープレコーダ用の全幅消去ヘッドをシャーシ基板に取り付ける際の取付構造に関するものである。
【０００２】
【従来の技術】
通常、家庭用のビデオテープレコーダ（以下、ＶＴＲと記載する）には、回転シリンダの上流側に、ビデオテープに書き込まれた磁気信号を消去するための全幅消去ヘッド組立体（以下、磁気ヘッド組立体と記載する）が組み込まれている。例えば下記特許文献１には、ＶＴＲ内に内蔵された基板に磁気ヘッド組立体をネジ止めにより固定した例が開示されている。尚、通常のＶＴＲのシャーシ基板には、磁気ヘッド組立体の他に、映像ヘッドを備えた回転シリンダや、ビデオテープを回転シリンダに巻き付けるガイドポストや、音声用磁気ヘッドや、ビデオテープを走行させるキャプスタン等が取り付けられている。
【０００３】
また、ネジ止め以外の手段で磁気ヘッド組立体をシャーシ基板に取り付けた例として、下記特許文献２，３に記載されたものが知られている。
【０００４】
【特許文献１】
特開平１０−１１２０１２号公報
【特許文献２】
特開平６−３４９０３４号公報
【特許文献３】
特開平９−１６７３０６号公報
【０００５】
【発明が解決しようとする課題】
しかし、上記特許文献１に記載の取付構造では、ネジ止めするために磁気ヘッド組立体にボスを設ける必要があり、磁気ヘッド組立体の成形が煩雑になるという問題があった。またネジを必要とすることから部品点数が増加し、更に取付の際にネジ止めの工程が必要となるため、磁気ヘッド組立体の取付を低コストで行うことができなかった。
また、上記特許文献２または３に記載の取付構造では、磁気ヘッド組立体及び基板の他に別個の部材が必要となり、部品点数が増加して磁気ヘッド組立体の取付を低コストで行うことができなかった。
【０００６】
本発明は、上記の課題を解決するためになされたものであって、部品点数が少なく、基板の所定の箇所に磁気ヘッド組立体を押しつけるだけで取り付けることが可能な磁気ヘッド組立体の取付構造の提供を目的とする。
【０００７】
【課題を解決するための手段】
上記の目的を達成するために、本発明は以下の構成を採用した。
本発明の磁気ヘッド組立体の取付構造は、シャーシ基板に磁気ヘッド組立体を取り付ける取付構造であり、前記シャーシ基板は、一辺寄りにガイド孔及び受孔が設けられた底板と該底板の一辺から立設された壁板とから構成されるとともに前記壁板の一部が前記底板とほぼ平行に折曲されて係合部が形成されてなり、前記磁気ヘッド組立体には、媒体摺動面を有する略柱状の本体部と該本体部の一端側に取り付けられた脚部と前記本体部の一側面から突出するアーム部と前記本体部の別の側面から突出する被係合部とが備えられるとともに前記アーム部に突起が形成されてなり、前記ガイド孔に前記脚部が挿入されるとともに前記受孔に前記突起が嵌め合わされ、更に前記被係合部が前記係合部に係合されていることを特徴とする。
【０００８】
かかる磁気ヘッド組立体の取付構造によれば、シャーシ基板を構成する壁板の一部を折り曲げて係合部を設け、この係合部によって磁気ヘッド組立体の被係合部を固定するので、別個に固定用の部品を追加する必要がなく、またネジ止めの必要もなく、磁気ヘッド組立体を固定できる。
また、突起及び被係合部によって磁気ヘッド組立体がシャーシ基板に固定されるので、磁気ヘッド組立体を確実に固定することができる。
更に、かかる取付構造によれば、ガイド孔に脚部が挿入されるとともに受孔に突起が嵌め合わされた状態で、突起を軸にして磁気ヘッド組立体を壁面に向けて回転させることで、被係合部を前記係合部に係合させることができ、磁気ヘッド組立体のシャーシ基板への取付を簡単な操作で行うことができる。
【０００９】
また本発明の磁気ヘッド組立体の取付構造は、先に記載の磁気ヘッド組立体の取付構造であり、前記被係合部を前記底板と前記係合部との間に嵌め込ませることを特徴とする。
【００１０】
かかる磁気ヘッド組立体の取付構造によれば、被係合部を底板と係合部との間に嵌め込ませて固定するので、磁気テープ媒体が摺動しても本体部が当該磁気テープ媒体に引きずられて傾くおそれがない。
【００１１】
また本発明の磁気ヘッド組立体の取付構造は、先に記載の磁気ヘッド組立体の取付構造であり、前記ガイド孔の内面と前記脚部との間に充填材が充填されていることを特徴とする。
かかる磁気ヘッド組立体の取付構造によれば、挿入孔の内面と脚部との間に充填材を充填させることで、挿入孔内部での脚部のぐらつきを防止することができ、磁気ヘッド組立体を確実に固定できる。
【００１２】
次に本発明の磁気ヘッド組立体の取付方法は、シャーシ基板に磁気ヘッド組立体を取り付ける方法であり、前記シャーシ基板は、一辺寄りにガイド孔及び受孔が設けられた底板と該底板の一辺から立設された壁板とから構成されるとともに前記壁板の一部が前記底板とほぼ平行に折曲されて係合部が形成されてなり、前記磁気ヘッド組立体には、媒体摺動面を有する略柱状の本体部と該本体部の一端側に取り付けられた脚部と前記本体部の一側面から突出するアーム部と前記本体部の別の側面から突出する被係合部とが備えられるとともに前記アーム部に突起が形成されてなり、前記脚部を前記ガイド孔内において移動自在な状態で挿入させるとともに前記受孔に前記突起を嵌め合わせ状態で、前記突起を軸にして前記磁気ヘッド組立体を前記壁面側に向けて回転させて、前記被係合部と前記係合部とを係合することを特徴とする。
【００１３】
かかる磁気ヘッド組立体の取付方法によれば、ガイド孔に脚部を挿入させるとともに受孔に突起を嵌め合わせた状態で、突起を軸にして磁気ヘッド組立体を壁面に向けて回転させることで、被係合部を前記係合部に係合させることができ、磁気ヘッド組立体のシャーシ基板への取付を簡単な操作で行うことができる。
【００１４】
【発明の実施の形態】
以下、本発明の実施形態を図面を参照して説明する。
図１に本発明に係る磁気ヘッド組立体を備えたテープ媒体記録再生装置Ｍの平面模式図を示す。
図１に示すテープ媒体記録再生装置Ｍは、ＶＴＲ等の機器に用いられるもので、一方向に回転駆動される回転シリンダ１にテープリール１１から引出された磁気テープ媒体Ｔが巻き掛けられてなるテープローディング系路を具備して構成されている。このテープローディング系路には、図１に示すように、テープリール１１から引出された磁気テープ媒体Ｔを案内して回転シリンダ１に巻き付けるために回転シリンダ１の上流側と下流側にそれぞれ設けられた一対のガイドポスト１３ａ、１３ｂと、磁気テープ媒体Ｔを走行させるために回転シリンダ１の下流側に設けられたキャプスタン１４と、キャプスタン１４とともに磁気テープ媒体Ｔを挟んで走行させるローラ１５と、回転シリンダ１の上流側に備えられた本発明に係る消去用の磁気ヘッド組立体５１とが備えられて構成されている。
また回転シリンダ１には映像用の磁気ヘッド３１，４１が備えられている。更にガイドポスト１３ｂとキャプスタン１４及びローラ１５の間には音声用の磁気ヘッド５２が備えられている。
【００１５】
また、図１に示すテープ媒体記録再生装置Ｍには、シャーシ基板２０が備えられている。このシャーシ基板２０は、底板２１と、底板２１の一辺２１ａから折り曲げられて立設された壁板２２とから構成されている。底板２１の一辺２１ａは、底板２１と壁板２２との折曲げ線に沿う辺である。また底板２１上には、先に説明した回転シリンダ１、ガイドポスト１３ａ、１３ｂ、キャプスタン１４、ローラ１５、音声用磁気ヘッド５２及び磁気ヘッド組立体５１が配置されている。
また、底板２１には、ガイドポスト１３ａ、１３ｂを案内するためのガイド穴１３ｃ、１３ｄが設けられている。このガイド穴１３ｃ、１３ｄは、テープリール１１，１２近傍から回転シリンダ１近傍に至る間に渡って設けられており、ガイドポスト１３ａ、１３ｂによって磁気テープ媒体Ｔを引き出す際にガイドポスト１３ａ、１３ｂを案内できるようになっている。
【００１６】
次に、図２、図３及び図４により、本発明に係る磁気ヘッド組立体について説明する。図２には磁気ヘッド組立体の側面模式図を示し、図３には正面模式図を示し、図４には平面模式図を示す。
磁気ヘッド組立体５１は、図２〜図４に示すように、樹脂製のホルダ７１に磁気ヘッド７０が収納されて概略構成されている。ホルダ７１は、略柱状の本体部５１ａと本体部５１ａの一端側に取り付けられた脚部５１ｂとから概略構成されている。本体部５１ａには、磁気ヘッド７０が収納されるとともに磁気ヘッド７０の媒体摺動面６１ａが露出している。媒体摺動面６１ａは、本体部５１ａに設けられた窓部７２から露出されている。また媒体摺動面６１ａには磁気ギャップ６１ｂが設けられている。
【００１７】
また図２〜図４に示すように、磁気ヘッド組立体５１には、本体部５１ａの一側面５１ｃから突出するアーム部５１ｄと、本体部５１ａの別の側面５１ｅから突出する被係合部５１ｆとが備えられている。またアーム部５１ｄの下側には突起５１ｇが形成されている。
また、図２及び図３に示すように、アーム部５１ｄの下面５１ｄ１と被係合部５１ｆの下面５１ｆ１とが、ほぼ同じ高さに位置している。
更に磁気ヘッド組立体５１は、図４に示すように、磁気ヘッド組立体５１を平面視したときに、アーム部５１ｄと被係合部５１ｆとが略直線上に配置されるように構成されている。
【００１８】
次に、図５により、本発明に係るシャーシ基板２０の詳細な構造について説明する。図５にはシャーシ基板２０の要部の平面模式図を示す。
図５に示すように、シャーシ基板２０の底板２１には、一辺２１ａ寄りにガイド孔２１ｂと受孔２１ｃが設けられている。ガイド孔２１ｂは、平面視略扇形状であり、磁気ヘッド組立体５１の脚部５１ｂが挿入されたときにこのガイド孔２１ｂ内を脚部５１ｂが移動できるようになっている。また受孔２１ｃは、磁気ヘッド組立体５１の突起５１ｇがほぼ密着して嵌合する大きさに形成されている。
また、シャーシ基板２０の壁板２２には、壁板２２の一部が底板２１とほぼ平行に折曲されて係合部２２ａが形成されている。
ガイド穴２１ｂ、受穴２１ｃ及び係合部２２ａの位置関係について述べると、受穴２１ｃと被係合部２２ａの間にガイド孔２１ｂが位置する関係になっている。
【００１９】
次に、図６〜図８により、本発明の磁気ヘッド組立体の取付構造について説明する。図６は、磁気ヘッド組立体の取付構造の要部を示す側面模式図であり、図７は正面模式図であり、図８を平面模式図である。
図６及び図７に示すように、磁気ヘッド組立体５１の脚部５１ｂがガイド孔２１ｂに挿入されている。ガイド孔２１ｂは平面視略扇状に形成されており、脚部５１ｂよりも大きく形成されているので、脚部５１ｂがガイド孔２１ｂによって係止される状態ではない。
また、図６及び図７に示すように、磁気ヘッド組立体５１の突起５１ｇが受孔２１ｃにはめ込まれている。
【００２０】
脚部５１ｂがガイド孔２１ｂに挿入されるとともに突起５１ｇが受孔２１ｃにはめ込まれると、アーム部５１ｄの下面５１ｄ１及び被係合部５１ｆの下面５１ｆ１が底板２１に接して係止され、磁気ヘッド組立体５１がそれ以上ガイド孔２１ｂに挿入されないようになっている。
【００２１】
また、図６〜図８に示すように、磁気ヘッド組立体５１の被係合部５１ｆと壁板２２の係合部２２ａとが係合されている。係合部２２ａが底板２１とほぼ平行に折曲されているので、被係合部５１ｆが底板２１と係合部２２ａとにより挟まれた状態になる。このようにして磁気ヘッド組立体５１がシャーシ基板２０に取り付けられる。
尚、係合部２２ａは、壁板２２の一部を切り欠き、切り欠き部分を底板２１に対して並行に折り曲げたものであり、このため図７に示すように壁板２２には切欠孔２２ｃが形成される。
【００２２】
また図８には、磁気ヘッド組立体５１をシャーシ基板２０に取付ける際の磁気ヘッド組立体５１の動きを図示している。すなわち図８において、取付前の磁気ヘッド組立体５１の位置を二点鎖線で示し、取付後の位置を実線で示している。
磁気ヘッド組立体５１を取り付ける際には、図８の二点鎖線で示すように、まず、図示略のガイド孔に脚部を挿入させるとともに受孔２１ｃに突起５１ｇを嵌め合わせる。このとき、脚部はガイド孔内において移動自在な状態で挿入されている。
次に、突起５１ｇを軸にして磁気ヘッド組立体５１を壁面２２側に向けて図８の矢印の方向に回転させる。脚部がガイド孔内において移動自在な状態で挿入されているので、磁気ヘッド組立体５１を回転させても脚部５１ｂとガイド孔が干渉することがなく、むしろ脚部がガイド孔に案内される形で磁気ヘッド組立体５１が回転される。
これにより、被係合部５１ｆが係合部２２ａと底板２１の間にはめ込まれる。
【００２３】
上記の磁気ヘッド組立体５１の取付構造によれば、突起５１ｇと被係合部５１ｆとがシャーシ基板２０に固定されるので、磁気ヘッド組立体５１を確実に固定することができる。
また、ガイド孔２１ｂに脚部５１ｂを挿入させるとともに受孔２１ｃに突起５１ｇを嵌め合わせた状態で、突起５１ｇを軸にして磁気ヘッド組立体５１を壁面２２に向けて回転させることで、被係合部５１ｆを係合部２２ａに係合させることができ、磁気ヘッド組立体５１のシャーシ基板２０への取付を簡単な操作で行うことができる。
【００２４】
尚、本発明は上記実施形態の内容に限定されるものではなく、例えば、ガイド孔２１ｂの内面と脚部５１ｂとの間に充填材を充填させても良い。ガイド孔２１ｂは、脚部５１ｂが挿入された状態でも脚部５１がガイド孔２１ｂ内を移動できるように大きめに形成されているため、ガイド孔２１ｂの内面と脚部５１ｂとの間には隙間が生じている。この隙間に樹脂や接着剤等の充填材を充填することにより、ガイド孔２１ｂ内部での脚部５１ｂのぐらつきを防止することができ、磁気ヘッド組立体５１をシャーシ基板２０に確実に固定できる。
【００２５】
【発明の効果】
以上、詳細に説明したように、本発明の磁気ヘッド組立体の取付構造によれば、シャーシ基板を構成する壁板の一部を折り曲げて係合部を設け、この係合部によって磁気ヘッド組立体の被係合部を固定するので、別個に固定用の部品を追加する必要がなく、またネジ止めの必要もなく、磁気ヘッド組立体を固定できる。
また、突起及び被係合部によって磁気ヘッド組立体がシャーシ基板に固定されるので、磁気ヘッド組立体を確実に固定することができる。
更に、かかる取付構造によれば、ガイド孔に脚部を挿入させるとともに受孔に突起を嵌め合わせた状態で、突起を軸にして磁気ヘッド組立体を壁面に向けて回転させることで、被係合部を前記係合部に係合させることができ、磁気ヘッド組立体のシャーシ基板への取付を簡単な操作で行うことができる。
【００２６】
また、本発明の磁気ヘッド組立体の取付方法によれば、ガイド孔に脚部を挿入させるとともに受孔に突起を嵌め合わせた状態で、突起を軸にして磁気ヘッド組立体を壁面に向けて回転させることで、被係合部を前記係合部に係合させることができ、磁気ヘッド組立体のシャーシ基板への取付を簡単な操作で行うことができる。
【図面の簡単な説明】
【図１】本発明の実施形態に係る磁気ヘッド組立体を備えたテープ媒体記録再生装置の平面模式図。
【図２】本発明の実施形態に係る磁気ヘッド組立体を示す側面模式図。
【図３】本発明の実施形態に係る磁気ヘッド組立体を示す正面模式図。
【図４】本発明の実施形態に係る磁気ヘッド組立体を示す平面模式図。
【図５】本発明の実施形態に係るシャーシ基板の要部を示す平面模式図。
【図６】本発明の実施形態の磁気ヘッド組立体の取付構造を示す側面模式図。
【図７】本発明の実施形態の磁気ヘッド組立体の取付構造を示す正面模式図。
【図８】本発明の実施形態の磁気ヘッド組立体の取付構造を示す平面図。
【符号の説明】
２０…シャーシ基板、２１…底板、２１ａ…一辺、２１ｂ…ガイド孔、２１ｃ…受孔、２２…壁板、２２ａ…係合部、５１…磁気ヘッド組立体、５１ａ…本体部、５１ｂ…脚部、５１ｃ…一側面、５１ｄ…アーム部、５１ｅ…別の側面、５１ｆ…被係合部、５１ｇ…突起、６１ａ…媒体摺動面
【図１】
2004253091.tif 000003
【図２】
2004253091.tif 000004
【図３】
2004253091.tif 000005
【図４】
2004253091.tif 000006
【図５】
2004253091.tif 000007
【図６】
2004253091.tif 000008
【図７】
2004253091.tif 000009
【図８】
2004253091.tif 000010